(57)【要約】【課題】良好な外観を呈するとともに、除去したり撤去したりすることにより開封済みの容器と別個に取り扱う必要のある部分が発生しない改ざん防止機能付きヒンジキャップを提供する。【解決手段】容器本体２の首部３に取り付けられて内容物の注出口４を形成する蓋本体部５と、蓋本体部の後端側に設けられたヒンジ６を介して蓋本体部と一体的に形成されて注出口を開閉する上蓋７とを備えたヒンジキャップ１であって、蓋本体部の前端側外周壁１０ａに形成される、閉止状態の上蓋を開放操作するための指掛け用凹所２３と、前端側外周壁の外側表面に沿うように設けられ、指掛け用凹所を封鎖すべく指掛け用凹所内に係脱自在に係合された改ざん防止部材２１と、押圧操作により係合が離脱されて指掛け用凹所の内方に押し込まれる改ざん防止部材を、指掛け用凹所の内方に固定する固定部２５、２６、３０とを備える。【選択図】図１
2007045422.tif 000002
【特許請求の範囲】
【請求項１】
容器本体の首部に取り付けられて内容物の注出口を形成する蓋本体部と、該蓋本体部の後端側に設けられたヒンジを介して当該蓋本体部と一体的に形成されて上記注出口を開閉する上蓋とを備えたヒンジキャップであって、
上記蓋本体部の前端側外周壁に形成される、閉止状態の上記上蓋を開放操作するための指掛け用凹所と、
上記前端側外周壁の外側表面に沿うように設けられ、上記指掛け用凹所を封鎖すべく該指掛け用凹所内に係脱自在に係合された改ざん防止部材と、
押圧操作により上記係合が離脱されて上記指掛け用凹所の内方に押し込まれる上記改ざん防止部材を、当該指掛け用凹所の内方に固定する固定部と
を備えたことを特徴とする改ざん防止機能付きヒンジキャップ。
【請求項２】
前記改ざん防止部材は、前記蓋本体部と別体に形成されて設けられることを特徴とする請求項１に記載の改ざん防止機能付きヒンジキャップ。
【発明の詳細な説明】
【技術分野】
【０００１】
本発明は、良好な外観を呈するとともに、除去したり撤去したりすることにより開封済みの容器と別個に取り扱う必要のある部分が発生しない改ざん防止機能付きヒンジキャップに関する。
【背景技術】
【０００２】
従来より、容器を不正に開封したり、内容物に異物を混入したりすることを防止するための改ざん防止機能を有するヒンジキャップに関する技術として、例えば特許文献１、２に開示されたものが知られている。
【０００３】
特許文献１の「改ざん防止機能付きヒンジキャップ」は、容器本体の首部に取り付けられ、蓋本体と上蓋とをヒンジ部を介して一体に形成したヒンジキャップであって、蓋本体の側面の上端に、全周にわたって蓋本体から除去可能なリング状の改ざん防止部材（「ガード片」）が形成されている。改ざん防止部材の内周部と上蓋外周壁のそれぞれには、互いに嵌合し合う係合凸部および係合凹部が形成されるとともに、上蓋の側面には上部がフランジ部で下部が小径部となる段差が形成され、小径部は改ざん防止部材の内側に嵌め込まれ、フランジ部は改ざん防止部材と同径もしくは改ざん防止部材より小径に形成されることを特徴とする。この改ざん防止機能付きヒンジキャップを開封する際には、まず改ざん防止部材の一部に突出形成されたプルタブを引っ張ることにより、蓋本体の側面上端と改ざん防止部材との間に形成された切り取り部を切断し、改ざん防止部材を除去する。すると上蓋のフランジ部に指を掛けて開放操作するための指掛け用空間を形成する小径部が露出するので、フランジ部に指を掛けて持ち上げることができ、上蓋を開放することができる。
【０００４】
特許文献２の「バージン機構付きヒンジキャップ」は、容器本体首部に取り付けられて内容物の注出口を形成する下蓋と、下蓋の後端部にヒンジを介して一体形成されて注出口を開閉自在に閉塞する上蓋とを備え、上蓋外周面の下端部と下蓋外周面の上端部にまたがるリング状の改ざん防止部材（「リング部品」）を備えた改ざん防止機能付きヒンジキャップである。下蓋の上面後端側のヒンジ付近には、リング状の改ざん防止部材の後端部である差し込み片部を差し込む差し込み溝が形成されている。下蓋の外周面上端には、差し込み溝の両端から前端側へと円環状に連なる第１段差部が凹設され、さらに下蓋外周面の前端部には、閉止状態の上蓋の開閉端下縁に露出させて上蓋開放操作時に指掛け部となす凹所が形成されている。上蓋の外周面下端には、上蓋の閉止状態において下蓋の第１段差部に連なる第２段差部が凹設されている。リング状の改ざん防止部材は、上記差し込み片部と、差し込み片部から前端側へ円環状に連なり上記第１、第２段差部にまたがって嵌着される周回片部とから構成され、周回片部の内側面と第１、第２両段差部の外側面とには、互いに係合し合う突起と係合孔とが形成されている。さらに改ざん防止部材の前端部には、２本の縦長の切断用薄膜部により囲繞された切り裂き片が形成されており、切り裂き片の下方には、切り裂き片を切断操作する際に摘むためのプルタブ（「掴み片」）が突設されている。開封する際にはまず、プルタブを摘みつつ上方に起こすことによって薄膜部を切り裂き、切り裂き片を除去する。すると切り裂き片の左右に続いていた周回片部を十分に押し開くことができ、上蓋指掛け用の凹所が十分に露出するとともに、上下２段に設けられた各突起と第１、第２両段差部に設けられた各係合孔との係合が解除されるので、上蓋を開放することができる。上蓋開放後、改ざん防止部材の切り裂き片以外の部分である周回片部および差し込み片部を上方に引き抜き、撤去する。
【特許文献１】特開２００１−１７１７１３号公報
【特許文献２】特開２００１−３１５８２０号公報
【発明の開示】
【発明が解決しようとする課題】
【０００５】
ところで、上記各背景技術にあってはいずれも、外観上不良な箇所を生ずるという問題点があった。以下に、具体的に示す。
【０００６】
特許文献１においては、改ざん防止部材を除去した部分に、ヒンジキャップの全周にわたって上蓋の小径部と、さらには小径部上に形成された係合凹部が露出されてしまっていた。また特許文献２においては、改ざん防止部材を撤去した後、ヒンジキャップのほぼ全周にわたり、上蓋の下端から下蓋の上端にまたがる第１、第２両段差部と、さらには両段差部上に形成された係合孔が露出されてしまっていた。これら、特許文献１における小径部や係合凹部、特許文献２における両段差部や係合孔など、専ら改ざん防止部材と係合するために使用される部分が開封後に露出してしまうことは、外観上、著しい違和感を生じさせてしまっていた。
【０００７】
また、特許文献１においては、全周にわたって切り取り部を切り裂いて改ざん防止部材を除去するがゆえに、比較的長い寸法にわたる切断箇所が露出されてしまっていた。手で切り裂くことにより生じる切断箇所にはバリのような細片が発生するなど見栄えが悪く、このような切断箇所が開封後に露出してしまうこと、しかも比較的長い寸法にわたって露出してしまうことは、外観上、著しく不良な印象、あるいは違和感を生じさせてしまっていた。
【０００８】
さらには、上記いずれの背景技術にあっても、改ざん防止部材の、除去あるいは撤去された部分を、廃棄などの処分をするため開封済みの容器と別個に取り扱う必要があり、非常に不便であった。具体的には、特許文献１においては除去された改ざん防止部材を、特許文献２においては切断除去された切り裂き片および撤去された改ざん防止部材の残りの部分を、容器と別個に取り扱う必要があった。
【０００９】
本発明は上記従来の課題に鑑みて創案されたものであって、良好な外観を呈するとともに、除去したり撤去したりすることにより開封済みの容器と別個に取り扱う必要のある部分が発生しない改ざん防止機能付きヒンジキャップを提供することを目的とする。
【課題を解決するための手段】
【００１０】
本発明にかかる改ざん防止機能付きヒンジキャップは、容器本体の首部に取り付けられて内容物の注出口を形成する蓋本体部と、該蓋本体部の後端側に設けられたヒンジを介して当該蓋本体部と一体的に形成されて上記注出口を開閉する上蓋とを備えたヒンジキャップであって、上記蓋本体部の前端側外周壁に形成される、閉止状態の上記上蓋を開放操作するための指掛け用凹所と、上記前端側外周壁の外側表面に沿うように設けられ、上記指掛け用凹所を封鎖すべく該指掛け用凹所内に係脱自在に係合された改ざん防止部材と、押圧操作により上記係合が離脱されて上記指掛け用凹所の内方に押し込まれる上記改ざん防止部材を、当該指掛け用凹所の内方に固定する固定部とを備えたことを特徴とする。
【発明の効果】
【００１１】
本発明にかかる改ざん防止機能付きヒンジキャップにあっては、良好な外観を呈するとともに、除去したり撤去したりすることにより開封済みの容器と別個に取り扱う必要のある部分が発生しない。
【発明を実施するための最良の形態】
【００１２】
以下に、本発明にかかる改ざん防止機能付きヒンジキャップの好適な実施形態を、添付図面を参照して詳細に説明する。第１の実施形態にかかる改ざん防止機能付きヒンジキャップ１（以下、単にヒンジキャップ１という）は基本的には、図１〜５に示すように、容器本体２の首部３に取り付けられて内容物の注出口４を形成する蓋本体部５と、蓋本体部５の後端側に設けられたヒンジ６を介して蓋本体部５に一体的に形成されて注出口４を開閉自在に開閉する上蓋７とから構成される。容器本体２は、平面形状がほぼ正方形の胴部８と、平面視で胴部８のほぼ中央に配置される円筒状の首部３と、胴部８と首部３とを連繋する傾斜面からなる肩部９とから構成されている。
【００１３】
ヒンジキャップ１の外形輪郭は、その平面形状が容器本体２の胴部８に沿ったほぼ正方形である。ヒンジキャップ１の外側表面と容器本体２胴部８の外側表面とは、互いにほぼ面一に形成されている。ヒンジキャップ１や容器本体２胴部８の平面形状は正方形に限定されるものではなく、円形など他の形状も可能である。ヒンジキャップ１は、ポリエチレンやポリプロピレンなどの合成樹脂により成形される。容器本体２は、合成樹脂やガラスなど様々な素材によるものが適用可能である。
【００１４】
蓋本体部５は概ね、ほぼ正方形筒状の外周壁１０と、外周壁１０の上端に連続させて外周壁１０のすぐ内方に形成された平板状の天井部１１とから構成される。天井部１１は、その下面が外周壁１０の上端とほぼ同一の高さ位置になるよう形成されている。天井部１１の中央には、容器本体２の内容物を取り出すための注出口４が上面側に突出させて形成されている。円筒状の注出口４の外周面の上部には、外向き鉤状の第１フック部１２が形成されている。
【００１５】
天井部１１下面側の、中央と外周端部のほぼ中間の位置には、容器本体２の首部３と互いに嵌合し合う円筒状の第１嵌合部１３が一体的に垂下形成されている。第１嵌合部１３の内周面には、首部３の外周面上に形成された環状凸部１４と係合し合う環状凹部１５が形成されている。
【００１６】
蓋本体部５の後端側外周壁１０ｂの上端には、その中央部分に薄肉ヒンジ６（以下、単にヒンジ６という）が形成されており、蓋本体部５と上蓋７とをヒンジ結合している。
【００１７】
上蓋７は概ね、その外側表面が蓋本体部５の外周壁１０の外側表面とほぼ面一に形成された第２外周壁１６と、第２外周壁１６の上端を覆うように一体形成された平板状の天板部１７とから構成される。天板部１７の下面側中央には、上蓋７の閉止状態において蓋本体部５の注出口４と互いに嵌合し合う円筒状の第２嵌合部１８が垂下形成されている。第２嵌合部１８の内周面下端には内向き鉤状の第２フック部１９が形成されており、注出口４の第１フック部１２と互いに係合する。ここで、上蓋７の第２外周壁１６の外側表面は必ずしも蓋本体部５の外周壁１０の外側表面と面一でなくともよく、第２外周壁１６の下端に指を掛けて上蓋７を開放することができない形状であればよい。例えば、上蓋７の第２外周壁１６の外側表面が蓋本体部５の外周壁１０よりも内方に位置していてもよい。また、上蓋７の前端側第２外周壁１６ａの中央部内側面には、後述する改ざん防止部材２１の第３フック部２２と係合し合う矩形凹状のフック凹所２０が形成されている。
【００１８】
蓋本体部５の前端側には、閉止状態の上記上蓋７を開放操作するための指掛け用凹所２３が形成されている。より具体的には、指掛け用凹所２３の外側開口部は、前端側外周壁１０ａの中央部に設けられたほぼ矩形の切り欠き部１０ｃに一致しており、指掛け用凹所２３の下面は、切り欠き部１０ｃの下縁を形成する前端側外周壁１０ａの端部から上記第１嵌合部１３の前端側１３ａ下端付近まで水平に、かつ一体的に連続するよう形成されたスライド台部２３ａにより形成されている。スライド台部２３ａは、後述する改ざん防止部材２１が外方から押圧操作された際に、その上をスライド移動する。指掛け用凹所２３の左右の側面は、切り欠き部１０ｃの左右の縁辺を形成する前端側外周壁１０ａの端部から、それぞれ、後端側へまっすぐに第１嵌合部１３まで延びる鉛直な側壁２３ｂにより形成されている。
【００１９】
ヒンジキャップ１の使用者は、指掛け用凹所２３内に親指などを挿入し、閉止状態の上蓋７の、前端側第２外周壁１６ａの下端部に指を掛けて持ち上げることにより上蓋７を開放することができる。ただし、この指掛け用凹所２３は、ヒンジキャップ１の開封前の状態においては、改ざん防止部材２１が設けられることにより封鎖されている。
【００２０】
改ざん防止部材２１は、蓋本体部５などヒンジキャップ１のその他の部分と別体に形成される。改ざん防止部材２１の本体部２１ａは、開封前の状態において、上記切り欠き部１０ｃの形状にぴったりと沿うように、当該切り欠き部１０ｃ、ひいては指掛け用凹所２３を封鎖するように設けられる。指掛け用凹所２３の左右の側壁２３ｂには、上下方向中程の位置に、矩形凹状の第１係止孔２４および第２係止孔２５が並設されている。第１係止孔２４が外方（前端側）に位置し、第２係止孔２５が内方（後端側）に位置している。
【００２１】
改ざん防止部材２１の上端には、改ざん防止部材２１が指掛け用凹所２３内に係合された状態で後端側に突出した上側リブ２１ｂが一体に形成され、改ざん防止部材２１の下端には上側リブ２１ｂと同程度後端側に突出した下側リブ２１ｃが一体に形成されている。上側リブ２１ｂの上面には前端側向き鉤状の第３フック部２２が一体に突出形成されており、開封前の状態において上記フック凹所２０と係合し合う。このフック凹所２０と第３フック部２２との係合状態は、互いの鉤状部分が上下方向に係合しており前後方向には係合していない（図４（ｂ）参照）ので、開封前の状態、すなわち改ざん防止部材２１が指掛け用凹所２３のの外側開口部に当該指掛け用凹所２３を封鎖すべく設けられている状態において、上蓋７が上方へと開放されてしまう動きは防止するが、改ざん防止部材２１が押圧操作を受けて内方へと移動する動きは許容する。
【００２２】
改ざん防止部材２１の左右の端部には、後端側に突出した左側リブ２１ｄ、右側リブ２１ｅが一体に形成されている。これら左側リブ２１ｄ、右側リブ２１ｅはともに同程度、かつ上側リブ２１ｂおよび下側リブ２１ｃよりも長く後端側に突出している。左側リブ２１ｄ、右側リブ２１ｅそれぞれの外側面には、上記第１、第２係止孔２４、２５と互いに係合しうるほぼ矩形の係止突起２６が突出形成されている。左右の係止突起２６は、詳細には、その前後端の端部が切り欠かれて斜めに形成されており、改ざん防止部材２１の押圧操作時に、改ざん防止部材２１が第１係止孔２４から離脱しやすいように、かつまた第２係止孔２５に係合しやすいように形成されている。
【００２３】
改ざん防止部材２１は、開封前の状態にあっては、係止突起２６と第１係止孔２４とが係合し合うことにより指掛け用凹所２３の外側開口部位置に、前端側外周壁１０ａの外側表面に沿うように係止されている。より具体的には、改ざん防止部材２１の外側表面が前端側外周壁１０ａの外側表面とほぼ面一になるよう配置されている。ここで、改ざん防止部材２１の外側表面は、開封前の状態において、前端側外周壁１０ａの外側表面と必ずしも面一でなくともよく、少なくとも指掛け用凹所２３内に指を挿入して上蓋７を開放操作することができないように配置されていればよいのであって、例えば、前端側外周壁１０ａの外側表面よりも若干外方や内方に位置していてもよい。
【００２４】
改ざん防止部材２１を外方から押圧操作することによって、左右の係止突起２６が第１係止孔２４から離脱し、改ざん防止部材２１が指掛け用凹所２３の内方へとスライド移動され、改ざん防止部材２１の左右の係止突起２６が指掛け用凹所２３側壁２３ｂの第２係止孔２５に係合したところでスライド移動が停止する。すなわち、係止突起２６と、第２係止孔２５とで、押圧操作により指掛け用凹所２３の内方に押し込まれた改ざん防止部材２１を当該指掛け用凹所２３の内方に固定する固定部を構成する。このように、改ざん防止部材２１が指掛け用凹所２３の内方へと押し込まれ、固定されることによって、指掛け用凹所２３が開封され、上蓋７を開放操作することが可能となる。
【００２５】
改ざん防止部材２１の素材としては、外観上、比較的見劣りがするポリエチレンなどよりも、比較的質の高い外観を有するポリプロピレンなどを使用することが好ましい。従来、改ざん防止部材の一部、あるいは改ざん防止部材とその他の部分との間に、手で切り裂くべき切断箇所を設ける必要があった場合には、切断容易なポリエチレンなど、比較的見劣りのする材質を選択しなければならなかった。ところが本実施形態にあっては、そのような切断箇所が一切設けられていないので、ヒンジキャップ１の改ざん防止部材２１、およびその他の部分である蓋本体部５や上蓋７を、比較的見栄えのよいポリプロピレンなどの素材で形成することが可能である。また特に、本実施形態にあっては、改ざん防止部材２１は蓋本体部５などと別体に形成されるので、改ざん防止部材２１のみをポリプロピレンなどの素材で形成することも可能である。
【００２６】
また、本実施形態の改ざん防止部材２１は、蓋本体部５などと別体に形成されるので、蓋本体部５などヒンジキャップ１の他の部分と、異なる加飾を施すことも容易である。
【００２７】
次に、本実施形態にかかる改ざん防止機能付きヒンジキャップ１の作用について説明する。ヒンジキャップ１の製造時においては、まず、蓋本体部５と上蓋７とが一体的に樹脂成形され、これとは別個独立に改ざん防止部材２１が樹脂成形される。このヒンジキャップ１を容器本体２に組み付ける際には、まず改ざん防止部材２１を、その左右の係止突起２６を左右の第１係止孔２４に係脱自在に係合させることにより、指掛け用凹所２３を封鎖すべく、前端側外周壁１０ａの外側表面に沿うように組み付ける。次に、上蓋７の第２嵌合部１８を蓋本体部５の注出口４に嵌合させるとともに、上蓋７のフック凹所２０と改ざん防止部材２１の第３フック部２２とを係合させることによって上蓋７を閉止する。次いで、蓋本体部５の第１嵌合部１３を容器本体２の首部３に嵌合させ、組付けを完了する（図２、図４参照）。
【００２８】
容器を購入した使用者などが容器本体２の内容物を注出するためには、まず、指掛け用凹所２３を封鎖している改ざん防止部材２１の本体部２１ａを外方から押圧操作することにより、指掛け用凹所２３を開封する。具体的には、押圧操作により改ざん防止部材２１の左右の係止突起２６を第１係止孔２４から離脱させ、さらに改ざん防止部材２１を押し込むことによって、改ざん防止部材２１を指掛け用凹所２３の内方へと、スライド台部２３ａ上をスライド移動させて押し込む。押し込まれた改ざん防止部材２１は、両係止突起２６と第２係止孔２５とが係合し合った時点でスライド移動が停止し、指掛け用凹所２３の内方に固定される。このようにして指掛け用凹所２３を開封することにより、当該指掛け用凹所２３に手指を挿入して上蓋７を開放操作することが可能となる（図３、図５参照）。
【００２９】
以上説明したように、本実施形態の改ざん防止機能付きヒンジキャップ１にあっては、容器本体２の首部３に取り付けられて内容物の注出口を形成する蓋本体部５と、蓋本体部５の後端側に設けられたヒンジ６を介して蓋本体部５と一体的に形成されて注出口４を開閉する上蓋７とを備え、蓋本体部５の前端側外周壁１０ａに形成される、閉止状態の上蓋７を開放操作するための指掛け用凹所２３と、前端側外周壁１０ａの外側表面に沿うように設けられ、指掛け用凹所２３を封鎖すべく指掛け用凹所２３内に係脱自在に係合された改ざん防止部材２１と、押圧操作により係合が離脱されて指掛け用凹所２３の内方に押し込まれる改ざん防止部材２１を指掛け用凹所２３の内方に固定する固定部２５、２６とを備えることとしたので、改ざん防止部材２１やその一部を切り裂いたり、切り裂いた部分を除去したり、かつまた改ざん防止部材２１全体を開封後に撤去したりする必要が一切無く、押圧操作により改ざん防止部材２１を指掛け用凹所２３の内方に押し込むだけで上蓋７を開放可能とするので、従来のように、専ら改ざん防止部材と係合するために使用される部分が露出してしまったり、見栄えの悪い切断箇所が発生したりすることがなく、良好な外観を呈することが可能である。
【００３０】
また従来は、改ざん防止部材の、除去あるいは撤去された部分を、廃棄などの処分をするため開封済みの容器と別個に取り扱う必要があり、非常に不便であったが、本実施形態のヒンジキャップ１にあっては、改ざん防止部材２１を指掛け用凹所２３内方に押し込むだけでよく、除去したり撤去したりすることにより開封済みの容器と別個に取り扱う必要のある部分が発生しないため、非常に便利である。
【００３１】
また、従来の技術では、切り取り部や切り裂き片などの切断箇所を切断操作するために切断箇所の一部にいわゆるプルタブを設ける必要があった。プルタブは通常改ざん防止部材の開封時に除去されてしまうが、開封前の状態において、ヒンジキャップの外形輪郭よりも外方へと突出させて設けられるため、形状的にスマートさを欠くなど見栄えが悪く、外観上好ましくなかった。これに対し本実施形態の改ざん防止機能付きヒンジキャップ１では、切断操作すべき部分が一切無いのでプルタブが必要ないため、開封前の状態においても従来と比較して良好な外観を呈するので有利である。
【００３２】
また、特に本実施形態にあっては、改ざん防止部材２１について開封操作時に切断したり破断させたりすべき箇所が全くないので、改ざん防止部材２１およびヒンジキャップ１のその他の部分を、比較的見劣りのするポリエチレンなどの素材からではなく、ポリプロピレンなど、より見栄えのよい外観を呈する素材を使用して形成することができる。その結果、ヒンジキャップ１全体として、より一層良好な外観を呈することが可能である。あるいは、本実施形態では特に、改ざん防止部材２１を、蓋本体部５などヒンジキャップ１のその他の部分と別体に形成されることとしたので、蓋本体部５などヒンジキャップ１のその他の部分は製造コスト上のメリットを生かして従来通りポリエチレンなどの素材により形成し、改ざん防止部材２１のみ、ポリプロピレンなど上質の素材により形成することとしてもよい。その場合、本実施形態では特に、従来とは異なり、改ざん防止部材２１は、切断・除去されたり、撤去されたりすることがなく、開封後も指掛け用凹所２３内に残置されるので、改ざん防止部材２１の外観を向上させられることは、ヒンジキャップ１全体の外観を向上させる上で非常に有利である。
【００３３】
また、ヒンジキャップ１と別体に形成される改ざん防止部材２１は、ヒンジキャップ１と異なる加飾を施すことが容易であるので、例えば、開封前において、当該改ざん防止部材２１が押圧操作部であることを明示したり、また、指掛け用凹所２３の内方に押し込まれた開封後においては開封済みであることを明示できるような加飾を施すことが容易となるため、非常に有利である。
【００３４】
図６、７には、本発明にかかる改ざん防止機能付きヒンジキャップの第２実施形態が示されている。第１実施形態と同一の構成要素については同一の符号を付し、説明を省略する。第２実施形態にあっては、上蓋７の前端側第２外周壁１６ａの中央部内側面には、フック凹所が形成されていない。また、フック凹所と係合し合う、改ざん防止部材２１の上側リブ２１ｂに形成されていた第３フック部も設けられておらず、改ざん防止部材２１の上側リブ２１ｂ上面は、平坦に形成されている。その結果、上蓋７の閉止状態かつ開封前の状態において、前端側第２外周壁１６ａの下端と改ざん防止部材２１の上端部分とは互いに、単に当接し合うだけであり、係合し合うことはない（図６参照）。このような第２実施形態のヒンジキャップ１にあっても、上記第１実施形態と同様の作用効果を奏することはもちろんである。特に、この第２実施形態にあっては、改ざん防止部材２１と上蓋７の前端側第２外周壁１６ａとを係合させる必要がないので、ヒンジキャップ１の組み付け作業時、上蓋７を閉止する際に、誤って改ざん防止部材２１に押圧力を加えてしまい、指掛け用凹所２３の内方へと押し込んでしまうこと、すなわち誤ってヒンジキャップ１を開封してしまうことを防止することができる。
【００３５】
図８、９には、本発明にかかる改ざん防止機能付きヒンジキャップの第３実施形態が示されている。第１、第２実施形態と同一の構成要素については同一の符号を付し、説明を省略する。第３実施形態にあっては、改ざん防止部材２１には上側および左右両側のリブが形成されていない。従って、左右のリブに形成されていた係止突起２６も設けられていない。また、下側リブ２１ｃの代わりに、改ざん防止部材２１の本体部２１ａ下端からは、そのすぐ後端側に、下方に突出した鉤状の第４フック部２７が一体に形成されている。蓋本体部５のスライド台部２３ａの前端寄り、前端側外周壁１０ａのすぐ後端側の位置には、上記第４フック部２７が挿入されて係合される第３係止孔２８が形成されている。改ざん防止部材２１の本体部２１ａの下端と、第４フック部２７との間は非常に薄く形成された薄肉部２９となっており、改ざん防止部材２１の本体部２１ａの上端側は、薄肉部２９がヒンジとして機能することにより後端側に揺動自在となっている。また、指掛け用凹所２３の側壁２３ｂには第１、第２係止孔が設けられておらず、その代わりに、側壁２３ｂのやや前端寄りで上端に近い位置に、内方へと押し込まれた改ざん防止部材本体部２１ａの上端側を、指掛け用凹所２３の内方に固定する固定部として機能する第２係止突起３０が突出形成されている。第２係止突起３０の前端側角部は、改ざん防止部材２１が乗り越えやすいように、切り欠かれて斜めに形成されている。他方、第２係止突起３０の後端側角部は、乗り越えた改ざん防止部材２１が指掛け用凹所２３の外側開口部側へと戻ってしまわないよう、すなわち指掛け用凹所２３の内方に確実に固定されるよう、切り欠きが形成されていない。このように構成されたヒンジキャップ１を開封するには、改ざん防止部材２１の本体部２１ａを外方から押圧操作することにより、本体部２１ａの上端側を薄肉部２９を支点に指掛け用凹所２３の内方へとヒンジ回転させ、左右の側壁２３ｂに形成された両第２係止突起３０を乗り越えさせる。このようにして押し込まれた改ざん防止部材２１は、両第２係止突起３０により指掛け用凹所２３の内方に固定される。このようにして指掛け用凹所２３を開封することにより、当該指掛け用凹所２３に手指を挿入して上蓋７を開放操作することが可能となる（図９参照）。
【図面の簡単な説明】
【００３６】
【図１】本発明にかかる改ざん防止機能付きヒンジキャップの第１実施形態を示す分解斜視図である。
【図２】図１の改ざん防止機能付きヒンジキャップの斜視図である。
【図３】図１の改ざん防止機能付きヒンジキャップの、改ざん防止部材を押し込んだ状態の斜視図である。
【図４】図１の改ざん防止機能付きヒンジキャップの、改ざん防止部材を押し込む前の状態を示す、（ａ）は（ｂ）のＡ−Ａ線による断面、（ｂ）は縦断面の図である。
【図５】図１の改ざん防止機能付きヒンジキャップの、改ざん防止部材を押し込んだ後の状態を示す、（ａ）は（ｂ）のＢ−Ｂ線による断面、（ｂ）は縦断面の図である。
【図６】本発明の改ざん防止機能付きヒンジキャップの第２実施形態に係り、改ざん防止部材を押し込む前の状態を示す、（ａ）は（ｂ）のＣ−Ｃ線による断面、（ｂ）は縦断面の図である。
【図７】図６の改ざん防止機能付きヒンジキャップの、改ざん防止部材を押し込んだ後の状態を示す、（ａ）は（ｂ）のＤ−Ｄ線による断面、（ｂ）は縦断面の図である。
【図８】本発明の改ざん防止機能付きヒンジキャップの第３実施形態に係り、改ざん防止部材を押し込む前の状態を示す、（ａ）は（ｂ）のＥ−Ｅ線による断面、（ｂ）は縦断面の図である。
【図９】図８の改ざん防止機能付きヒンジキャップの第３実施形態に係り、改ざん防止部材を押し込んだ後の状態を示す、（ａ）は（ｂ）のＦ−Ｆ線による断面、（ｂ）は縦断面の図である。
【符号の説明】
【００３７】
１      改ざん防止機能付きヒンジキャップ
２      容器本体
３      首部
４      注出口
５      蓋本体部
６      ヒンジ
７      上蓋
１０ａ  前端側外周壁
２１    改ざん防止部材
２３    指掛け用凹所
２５    第２係止孔（固定部）
２６    係止突起（固定部）
３０    第２係止突起（固定部）
【図１】
2007045422.tif 000003
【図２】
2007045422.tif 000004
【図３】
2007045422.tif 000005
【図４】
2007045422.tif 000006
【図５】
2007045422.tif 000007
【図６】
2007045422.tif 000008
【図７】
2007045422.tif 000009
【図８】
2007045422.tif 000010
【図９】
2007045422.tif 000011